(57)【特許請求の範囲】
【請求項１】
すくなくとも版胴における絵柄の網点面積率を含む摩耗関連情報に基づいて摩耗係数を算出する摩耗係数算出手段と、前記摩耗係数と生産数量に基づいてドクター摩耗量を算出するドクター摩耗量算出手段と、前記ドクター摩耗量と所定の摩耗許容量とを比較してドクターブレードの交換時期を予測する交換時期予測手段とを具備することを特徴とするドクターブレード交換時期予測システム。
【請求項２】
請求項１記載のドクターブレード交換時期予測システムにおいて、前記摩耗関連情報は、網点面積率に応じた摩耗係数αｐ（ｐ＝１〜ｍ）、所定の網点面積率の版胴周方向における総面積率βｐ、ドクターおよび版面の材質による摩耗係数γ、インキによる摩耗係数η、機械条件（ドクター圧など）による摩耗係数ξであって、前記摩耗係数算出手段は、前記版胴の画像データを版胴軸方向に幅ｄの領域にｎ分割（ｉ＝１〜ｎ）して得られる各領域に対応する摩耗係数Ａｉを下記の数１によって算出することを特徴とするドクターブレード交換時期予測システム。
【数１】
0004043766.tif 000008
【請求項３】
請求項２記載のドクターブレード交換時期予測システムにおいて、ドクター摩耗量算出手段は、生産数量Ｌにおけるｉ番目の領域のドクター摩耗量Ｗｉを下記の数２によって算出することを特徴とするドクターブレード交換時期予測システム。
【数２】
0004043766.tif 000009
【請求項４】
請求項２または３記載のドクターブレード交換時期予測システムにおいて、前記交換時期予測手段は、最大の摩耗量Ｗｊ（ｊ＝１〜ｎ）を与える摩耗係数の代表値Ａｊを適用し、ｊ番目のドクター摩耗量Ｗｊが摩耗許容量Ｗｍａｘに到達する生産数量Ｌｍａｘを下記の数３によって算出することによりドクターブレードの交換時期を予測することを特徴とするドクターブレード交換時期予測システム。
【数３】
0004043766.tif 000010
【請求項５】
請求項４記載のドクターブレード交換時期予測システムにおいて、前記交換時期予測手段は、品目ロット長Ｌｏｔと前記生産数量Ｌｍａｘとを比較し、Ｌｍａｘ＜Ｌｏｔの場合には生産数量Ｌｍａｘごとにドクターブレードを交換することが必要との判定を行ない、Ｌｍａｘ＞Ｌｏｔの場合にはドクターブレードの交換は不要との判定を行なうことを特徴とするドクターブレード交換時期予測システム。
【請求項６】
請求項５記載のドクターブレード交換時期予測システムにおいて、前記交換時期予測手段は、使用して交換時期に達してないドクターブレードの次品目での再利用における交換時期の予測を行なうことを特徴とするドクターブレード交換時期予測システム。
【請求項７】
請求項６記載のドクターブレード交換時期予測システムにおいて、前記交換時期予測手段は、前記次品目のカブリ易い絵柄の位置と、その位置に対応するドクターブレードの位置のドクター摩耗量Ｗｋを照合して、前記次品目におけるドクターブレードの再利用における交換時期の予測を行なうことを特徴とするドクターブレード交換時期予測システム。
【発明の詳細な説明】
【０００１】
【発明の属する技術分野】
本発明はグラビア印刷の技術分野に属する。特に、ドクターブレードの交換時期予測するシステムに関する。
【０００２】
【従来技術】
グラビア印刷の版胴（グラビアシリンダー）の表面には絵柄の濃淡に応じた体積を有する凹形状のセルが形成されている。図４に示すように、印刷が行なわれるときには、まず、版胴の表面にインキを付着させ、ドクターブレードによって余剰のインキを掻き落とす。これによって、セルの凹部にその体積に応じた量のインキを充填する。次に、版胴と被印刷体（印刷用紙、プラスチックフィルム、等）とを密着させて印圧を加えることでこのセルに充填したインキをその被印刷体に転移させる（図５（Ａ）参照）。
【０００３】
【発明が解決しようとする課題】
このドクターブレードによって余剰のインキを掻き落とすときに、版胴の表面とドクターブレードの摩擦によりドクターブレードが摩耗する。その摩耗の進行にともなってドクターブレードの掻き落とし能力が低下して行く。そして、余剰のインキを掻き落し切れなくなり、そのインキが転移して、いわゆる「カブリ」という欠陥が印刷物に生じることとなる。
【０００４】
図５（Ａ）に示すように、掻き落とせないインキが被印刷体（ウェブ）に転移する。そのとき印刷物に形成される絵柄は、図５（Ｂ）に示すように、正常な絵柄ではなく、カブリを含む絵柄となる。そのカブリの部位とドクターブレードの刃先における摩耗とは、図５（Ｂ）に示すように、対応する関係がある。
【０００５】
ドクターブレードの摩耗量は、インキの種類、セルの形状、ドクター圧、等の様々な条件に影響を受ける。また、印刷機による差異や、オペレータの個人差が大きく影響する。このため、実生産においては、ドクターブレードの交換時期を適切に設定することは困難である。その結果、使用限度に到達していないドクターブレードを破棄することや、使用限度を超えて使用していたためにカブリが発生することがある。
【０００６】
本発明はこのような課題を解決するためになされたものであり、その目的は、ドクターブレードの交換時期予測するシステムを提供することにある。
【０００７】
【課題を解決するための手段】
上記課題は下記の本発明によって解決される。すなわち、
本発明の請求項１に係るドクターブレード交換時期予測システムは、すくなくとも版胴における絵柄の網点面積率を含む摩耗関連情報に基づいて摩耗係数を算出する摩耗係数算出手段と、前記摩耗係数と生産数量に基づいてドクター摩耗量を算出するドクター摩耗量算出手段と、前記ドクター摩耗量と所定の摩耗許容量とを比較してドクターブレードの交換時期を予測する交換時期予測手段とを具備するようにしたものである。
【０００８】
本発明によれば、摩耗係数算出手段によりすくなくとも版胴における絵柄の網点面積率を含む摩耗関連情報に基づいて摩耗係数が算出され、ドクター摩耗量算出手段により摩耗係数と生産数量に基づいてドクター摩耗量が算出され、交換時期予測手段によりドクター摩耗量と所定の摩耗許容量とが比較されてドクターブレードの交換時期が予測される。したがって、ドクターブレードの交換時期を予測するシステムが提供される。
【０００９】
また本発明の請求項２に係るドクターブレード交換時期予測システムは、請求項１に係るドクターブレード交換時期予測システムにおいて、前記摩耗関連情報は、網点面積率に応じた摩耗係数αｐ、所定の網点面積率の版胴周方向における総面積率βｐ、ドクターおよび版面の材質による摩耗係数γ、インキによる摩耗係数η、機械条件（ドクター圧など）による摩耗係数ξであって、前記摩耗係数算出手段は、前記版胴の画像データを版胴軸方向に幅ｄの領域にｎ分割（ｉ＝１〜ｎ）して得られる各領域に対応する摩耗係数Ａｉを下記の数４（数１と同一）によって算出するようにしたものである。
【数４】
0004043766.tif 000002
本発明によれば、上記の数４による摩耗係数Ａｉに基づいてドクターブレードの交換時期を予測するシステムが提供される。
【００１０】
また本発明の請求項３に係るドクターブレード交換時期予測システムは、請求項２に係るドクターブレード交換時期予測システムにおいて、ドクター摩耗量算出手段は、生産数量Ｌにおけるｉ番目の領域のドクター摩耗量Ｗｉを下記の数５（数２と同一）によって算出するようにしたものである。
【数５】
0004043766.tif 000003
本発明によれば、上記の数５によるドクター摩耗量Ｗｉに基づいてドクターブレードの交換時期を予測するシステムが提供される。
【００１１】
また本発明の請求項４に係るドクターブレード交換時期予測システムは、請求項３に係るドクターブレード交換時期予測システムにおいて、前記交換時期予測手段は、最大の摩耗量Ｗｊ（ｊ＝１〜ｎ）を与える摩耗係数の代表値Ａｊを適用し、ｊ番目のドクター摩耗量Ｗｊが摩耗許容量Ｗｍａｘに到達する生産数量Ｌｍａｘを下記の数６（数３と同一）によって算出することによりドクターブレードの交換時期を予測するようにしたものである。
【数６】
0004043766.tif 000004
本発明によれば、上記の数６による生産数量Ｌｍａｘに基づいてドクターブレードの交換時期を予測するシステムが提供される。
【００１２】
また本発明の請求項５に係るドクターブレード交換時期予測システムは、請求項４に係るドクターブレード交換時期予測システムにおいて、前記交換時期予測手段は、品目ロット長Ｌｏｔと前記生産数量Ｌｍａｘとを比較し、Ｌｍａｘ＜Ｌｏｔの場合には生産数量Ｌｍａｘごとにドクターブレードを交換することが必要との判定を行ない、Ｌｍａｘ＞Ｌｏｔの場合にはドクターブレードの交換は不要との判定を行なうようにしたものである。本発明によれば、ドクターブレードの交換の必要不必要の判定が行なわれる。
【００１３】
また本発明の請求項６に係るドクターブレード交換時期予測システムは、請求項５に係るドクターブレード交換時期予測システムにおいて、前記交換時期予測手段は、使用して交換時期に達してないドクターブレードの次品目での再利用における交換時期の予測を行なうようにしたものである。本発明によれば、ドクターブレードの再利用における交換時期の予測が行なわれる。
【００１４】
また本発明の請求項７に係るドクターブレード交換時期予測システムは、請求項６に係るドクターブレード交換時期予測システムにおいて、前記交換時期予測手段は、前記次品目のカブリ易い絵柄の位置と、その位置に対応するドクターブレードの位置のドクター摩耗量Ｗｋを照合して、前記次品目におけるドクターブレードの再利用における交換時期の予測を行なうようにしたものである。本発明によれば、印刷物におけるカブリの発生を完全に回避する条件下において、ドクターブレードの再利用における交換時期の予測が行なわれる。
【００１５】
【発明の実施の形態】
次に、本発明について実施の形態を説明する。本発明のドクターブレード交換時期予測システムの構成について図１を参照して説明する。図１は、本発明のドクターブレード交換時期予測システムにおける構成を右側に示し、処理の流れ（後述する）を左側に示す説明図である。図１において、１はデータ処理装置、２はＲＩＰ（raster image processor）、３は印刷機、４は生産管理システムである。
【００１６】
データ処理装置１は、本発明のドクターブレード交換時期予測システムにおける主要なデータ処理を行なう部分である。データ処理装置１としては、パーソナルコンピュータ等の汎用のコンピュータを使用でき、そのハードウェアとソフトウェアによって実現される。データ処理装置１は、ＬＡＮ（local area network）等の通信回線を介してグラビア印刷工場における製版部門、印刷部門、生産管理部門、等の外部の装置とデータの送受信を行なうことができる。
【００１７】
データ処理装置１は、そのデータ処理によって摩耗係数算出手段とドクター摩耗量算出手段と交換時期予測手段とを実現する。摩耗係数算出手段は、すくなくとも版胴における絵柄の網点面積率を含む摩耗関連情報に基づいて摩耗係数を算出する。ドクター摩耗量算出手段は、その摩耗係数と生産数量に基づいてドクター摩耗量を算出する。交換時期予測手段は、そのドクター摩耗量と所定の摩耗許容量とを比較してドクターブレードの交換時期を予測する。
【００１８】
ＲＩＰ２は、製版部門における装置の１つである。製版部門においては、文字、絵柄、写真、等の編集を行なって印刷物の画像に対応する製版データを生成する。このとき生成される製版データは、一般的に、文字、絵柄、写真、等の素材データと、その素材データの拡大縮小、配置、形態、等の編集データから構成される。
【００１９】
ＲＩＰ２はこの製版データを１枚のラスター画像に変換する装置である。ラスター画像は、たとえば、画像左上から右方向に水平走査し、それを下方向に垂直走査で順次ずらして行き、画像右下に到達したとき１枚の画像ができあがるような画素の集合構造を有する画像である。ここでは、ＲＩＰ２が生成するラスター画像は、版胴１回転で得られる印刷物の画像に対応しており、グラビア彫刻機、等において版胴にセルを形成するための刷版画像データのことである。ＲＩＰ２はデータ処理装置１と通信回線を介して、その刷版画像データの送受信を行なうことができる。
【００２０】
印刷機３は、グラビア印刷機のことであるが、ここでは印刷部門における装置、たとえば、グラビア印刷機における印刷条件セットアップ、生産状況管理、等のための機側のデータ処理装置を含んでいる。印刷機３は、データ処理装置１と通信回線を介してデータの送受信を行なうことができる。印刷機３からデータ処理装置１へ送信されるデータとしては、版胴の寸法（周長、幅）、摩耗関連情報、等である。摩耗関連情報は、網点面積率に応じた摩耗係数αｐ、所定の網点面積率の版胴周方向における総面積率βｐ、ドクターおよび版面の材質による摩耗係数γ、インキによる摩耗係数η、機械条件（ドクター圧など）による摩耗係数ξ、等である。
【００２１】
生産管理システム４は、グラビア印刷工場において生産管理に係わるデータ処理を行なう生産管理部門のシステムである。たとえば、受注、原価管理、印刷物等仕入管理、在庫管理、工程管理、作業実績管理、出荷管理、支払管理、等を行なう。生産管理システム２としての固有のデータ処理の内容については、本発明とは直接関係ないからここでは説明を省略する。
【００２２】
生産管理システム４は、データ処理装置１と通信回線を介してデータの送受信を行なうことができる。生産管理システム４からデータ処理装置１へ送信されるデータとしては、たとえば、在庫管理、工程管理、等のデータである。在庫管理データとしては、ここでは、未使用のドクターブレードの在庫の有無、使用して交換時期に達してないドクターブレードの在庫の有無と使用履歴、等である。また、工程管理データとしては、ここでは、印刷機３において次に印刷が行なわれる品目、その生産数量、等である。
【００２３】
以上の構成において、次に、本発明のドクターブレード交換時期予測システムにおける処理の過程について図１を参照して説明する。図１の左側には、その処理の過程（フロー）が示されている。そのフローは、２つに大別される。刷版画像データを受取りドクターブレードの寿命を予測するフローＩ（前半）と、次品目の刷版画像データを受取りドクターブレードの再利用の可否を判定するフローII（後半）の２つである。
【００２４】
まず、フローＩについて説明する。図１の最初のステップＳ１において、データ処理装置１は、ＲＩＰ２によって製版データをラスター画像に変換した刷版画像データをＲＩＰ２から入力する。
次に、ステップＳ２において、データ処理装置１は、刷版画像データを版胴軸方向に所定の幅ｄの領域にｎ分割する処理を行なう。そして、所定の網点面積率を区間とし、その区間の網点面積率を有する部分（絵柄）の面積（％）を度数とする頻度分布を各々の領域に対して演算する。
【００２５】
その演算の一例についての説明図を図２に示す。図２（Ａ）は刷版画像データの一例を示し、図２（Ｂ）は頻度分布のグラフ（ヒストグラム）を示す。図２（Ａ）において、刷版画像データ１ａは、領域１、領域２、・・・、領域ｎにｎ分割されている。各領域における摩耗係数はＡ１、Ａ２、・・・、Ａｎであり、図２（Ａ）においては、領域ｉに対応させて摩耗係数Ａｉを付してある。
【００２６】
図２（Ｂ）において、グラフの縦軸は０％〜１０％、１１％〜２０％、・・・、９１％〜１００％の網点面積率における区間（区間の数はｍ）を示す、また横軸は所定領域におけるその区間の領域が占める面積率（％）、すなわち絵柄面積率を示す。図２（Ｂ）は、図２（Ａ）において、摩耗係数Ａｉが付されている領域ｉについて得られたグラフである。図２（Ｂ）に示すように、領域ｉにおいては、０〜１０％の網点面積率を有する部分の面積がβ１（％）であり、９１〜１００％の網点面積率を有する部分の面積がβｍ（％）である。図２（Ａ）に示すように、領域ｉにおいては、それ以外の網点面積率を有する部分がないから、β１＋βｍ＝１００（％）である。
【００２７】
ステップＳ２における演算の別の一例についての説明図を図３に示す。図３（Ａ）は刷版画像データの別の一例を示し、図３（Ｂ）は頻度分布のグラフ（ヒストグラム）を示す。刷版画像データとグラフの形態は図２と同様であるから、説明を省略する。ただし、図３（Ａ）に示す刷版画像データは、全体が網点面積率が０〜１００％まで漸次変換するグレースケールとなっており、領域ｉにおいてもグレースケールである。
【００２８】
図３（Ｂ）は、図３（Ａ）において、摩耗係数Ａｉが付されている領域ｉについて得られたグラフである。図３（Ｂ）に示すように、領域ｉにおいては、０〜１０％の網点面積率を有する部分の面積がβ１（％）であり、９１〜１００％の網点面積率を有する部分の面積がβｍ（％）である。そして、領域ｉがグレースケールであるから、その間の区間における網点面積率を有する部分の面積は、図３（Ｂ）に示すように、それぞれの値を有している。この場合も、β１＋β２＋・・・＋βｍ＝１００（％）である。
【００２９】
次に、ステップＳ３において、データ処理装置１は、摩耗係数とドクターブレード交換時期を算出する処理を行なう。まず、摩擦係数Ａｉを算出する処理について説明する。摩擦係数Ａｉは、すくなくとも版胴における絵柄の網点面積率を含む摩耗関連情報に基づいてデータ処理装置１の摩耗係数算出手段が算出する。
ここで、摩耗関連情報は、網点面積率に応じた摩耗係数αｐ、所定の網点面積率の版胴周方向における総面積率βｐ、ドクターおよび版面の材質による摩耗係数γ、インキによる摩耗係数η、機械条件（ドクター圧など）による摩耗係数ξである。
【００３０】
摩耗係数算出手段は、版胴の画像データ、すなわち刷版画像データを版胴軸方向に幅ｄの領域にｎ分割（ｉ＝１〜ｎ）して得られる各領域に対応する摩耗係数Ａｉを下記の数７（数１、数４と同一）によって算出する。
【数７】
0004043766.tif 000005
【００３１】
次に、ドクターブレードの交換時期を算出する処理について説明する。ドクターブレードの交換時期は、基本的に、実際の摩耗の進行度合いと、ドクターブレードの摩耗の程度として許容できる限界とを比較することによって判定することができる。すなわち、ドクター摩耗量Ｗｉと摩耗許容量Ｗｍａｘとを比較することによって判定が行なわれる。
【００３２】
まず、ドクター摩耗量Ｗｉを算出する処理について説明する。ドクター摩耗量Ｗｉは、摩耗係数Ａｉと生産数量Ｌに基づいてデータ処理装置１のドクター摩耗量算出手段が算出する。ドクター摩耗量算出手段は、生産数量Ｌにおけるｉ番目の領域のドクター摩耗量Ｗｉを下記の数８（数２、数５と同一）によって算出する。
【数８】
0004043766.tif 000006
【００３３】
次に、このドクター摩耗量Ｗｉと摩耗許容量Ｗｍａｘとを比較しドクターブレード交換時期を算出する（予測する）処理について説明する。ドクターブレード交換時期は、データ処理装置１の交換時期予測手段が算出する。交換時期予測手段は、最大の摩耗量Ｗｊ（ｊ＝１〜ｎ）を与える摩耗係数の代表値Ａｊを適用し、ｊ番目のドクター摩耗量Ｗｊが摩耗許容量Ｗｍａｘに到達する生産数量Ｌｍａｘを下記の数９によって算出する。
【数９】
0004043766.tif 000007
【００３４】
交換時期予測手段は、この算出した生産数量Ｌｍａｘに、実際の生産数量Ｌが到達する時期としてドクターブレードの交換時期を予測する。具体的には、品目のロット長ＬｏｔとＬｍａｘとを比較して、下記の場合分け▲１▼〜▲３▼によってドクターブレードを交換する。また、その場合分けによってドクターブレードの再利用の可否について判定する過程（フローII）へと進む。
【００３５】
▲１▼Ｌｍａｘ＜Ｌｏｔ：一枚のドクターブレードで生産を完了できない場合。  交換時期予測手段は、「生産数量Ｌｍａｘごとにドクターブレードを交換する」と判定する。また、生産完了までに使用したドクターブレードの枚数をｎとして、品目の生産完了時においてはＬｍａｘ＞Ｌｏｔ−（ｎ−１）＊Ｌｍａｘであるから、この時点で印刷機にセットされているドクターブレードは摩耗許容量Ｗｍａｘに達していない。したがって、交換時期予測手段は、ドクターブレードの再利用の可否について判定する過程（フローII）へと進む。
【００３６】
▲２▼ｎ＊Ｌｍａｘ＝Ｌｏｔ：ドクターブレードを使い切ったところで生産を終了できる場合。交換時期予測手段は、「次品目では新品のドクターブレードを使用する」と判定する。
【００３７】
▲３▼Ｌｍａｘ＞Ｌｏｔ：一枚のドクターブレードで生産を完了できる場合。交換時期予測手段は、「ドクターブレードの交換は不要」と判定する。また、交換時期予測手段は、ドクターブレードの再利用の可否について判定する過程（フローII）へと進む。
【００３８】
以上、刷版画像データを受取りドクターブレードの寿命を予測するフローＩ（前半）について説明を行なった。次に、次品目の刷版画像データを受取りドクターブレードの再利用の可否を判定するフローII（後半）について説明する。図１のステップＳ４において、データ処理装置１の交換時期予測手段は、次に印刷を行なう品目（次品目）の刷版画像データを受取る。そして、前述のステップＳ３と同様の方法で次品目における摩耗係数Ａｉを算出する。そして、前述のステップＳ３と同様の方法で次品目における生産数量Ｌｍａｘを算出する。
【００３９】
なお、生産数量Ｌｍａｘは、前述したように、最大の摩耗量Ｗｊ（ｊ＝１〜ｎ）を与える摩耗係数の代表値Ａｊを適用し、ｊ番目のドクター摩耗量Ｗｊが摩耗許容量Ｗｍａｘに到達する生産数量のことである。すなわち、生産数量Ｌｍａｘは、ドクターブレードの交換時期を予測する基礎パラメータである。また、ステップＳ４においては、当然ながら、次品目における摩耗関連情報が適用される。
【００４０】
次に、ステップＳ５において、交換時期予測手段は、使用して交換時期に達してないドクターブレードの次品目での再利用における交換時期の予測を行なう。交換時期予測手段は、次品目のカブリ易い絵柄の位置と、その位置に対応するドクターブレードの位置のドクター摩耗量Ｗｋを照合して、次品目におけるドクターブレードの再利用における交換時期の予測を行なう。
【００４１】
言い換えると、交換時期予測手段は、次品目のカブリ易い絵柄の位置が刷版画像データにおける領域ｋであれば、摩耗係数のＡｋを適用し、ｋ番目のドクター摩耗量Ｗｋが摩耗許容量Ｗｍａｘに到達する生産数量に基づいて次品目におけるドクターブレードの再利用における交換時期の予測を行なう。最大の摩耗量Ｗｊを与える摩耗係数の代表値Ａｊを適用したときと、摩耗係数のＡｋを適用したときとで摩耗許容量Ｗｍａｘに到達する生産数量が異なる場合には、交換時期予測手段は、その生産数量の小さい方をその予測に適用する。
【００４２】
【発明の効果】
以上のとおりであるから、本発明によれば、オペレータによる判断の相違や誤認識を回避し、ドクターブレードの交換時期を定量的、客観的に予測することができる。これにより、ドクターブレードを効率良く使用することができる。また、許容限度を超過してドクターブレードを使用することに起因する不良印刷物の発生を防止することができる。
また本発明の請求項１に係るドクターブレード交換時期予測システムによれば、ドクターブレードの交換時期を予測するシステムが提供される。
また本発明の請求項２に係るドクターブレード交換時期予測システムによれば、摩耗関連情報として、網点面積率に応じた摩耗係数αｐ、所定の網点面積率の版胴周方向における総面積率βｐ、等が考慮され、版胴軸方向に領域分割して得られる各領域に対応する摩耗係数Ａｉに基づいてドクターブレードの交換時期を予測することができる。
また本発明の請求項３に係るドクターブレード交換時期予測システムによれば、ドクター摩耗量Ｗｉに基づいてドクターブレードの交換時期を予測することができる。
また本発明の請求項４に係るドクターブレード交換時期予測システムによれば、最大の摩耗量Ｗｊを与える摩耗係数の代表値Ａｊが適用され、ｊ番目のドクター摩耗量Ｗｊが摩耗許容量Ｗｍａｘに到達する生産数量Ｌｍａｘに基づいてドクターブレードの交換時期を予測することができる。
また本発明の請求項５に係るドクターブレード交換時期予測システムによれば、品目ロット長Ｌｏｔと生産数量Ｌｍａｘとを比較してドクターブレードの交換の必要不必要の判定を行なうことができる。
また本発明の請求項６に係るドクターブレード交換時期予測システムによれば、ドクターブレードの再利用における交換時期の予測を行なうことができる。
また本発明の請求項７に係るドクターブレード交換時期予測システムによれば、印刷物におけるカブリの発生を完全に回避する条件下において、ドクターブレードの再利用における交換時期の予測を行なうことができる。
【図面の簡単な説明】
【図１】本発明のドクターブレード交換時期予測システムにおける構成を右側に示し、処理の流れ（後述する）を左側に示す説明図である。
【図２】刷版画像データを版胴軸方向に所定の幅ｄの領域にｎ分割する処理と、所定の網点面積率を区間とし、その区間の網点面積率を有する部分（絵柄）の面積（％）を度数とする頻度分布を各々の領域に対して演算する処理の一例（その１）についての説明図である。
【図３】刷版画像データを版胴軸方向に所定の幅ｄの領域にｎ分割する処理と、所定の網点面積率を区間とし、その区間の網点面積率を有する部分（絵柄）の面積（％）を度数とする頻度分布を各々の領域に対して演算する処理の一例（その２）についての説明図である。
【図４】グラビア印刷におけるドクターブレードの役割についての説明図である。
【図５】掻き落とせないインキが被印刷体（ウェブ）に転移して、カブリを含む絵柄が生じることについての説明図である。
【符号の説明】
１  データ処理装置
２  ＲＩＰ（raster image processor）
３  印刷機
４  生産管理システム
【図１】
0004043766.tif 000011
【図２】
0004043766.tif 000012
【図３】
0004043766.tif 000013
【図４】
0004043766.tif 000014
【図５】
0004043766.tif 000015